(57)【要約】【課題】トップユニットの上面に開口部がなく、かつキッチン天面との段差のない組込み型誘導加熱調理器を提供すること。【解決手段】キッチンカウンター１の天面を構成する天面プレート２は、結晶化ガラス製であり、天面プレート２の下方に構成される本体ユニット３は、外郭ケース４に３つの誘導加熱装置５ａ、５ｂ、５ｃを内蔵し、外郭ケース４の上方に配設されたフランジ部１２がキッチン内部のサンギ１３でビス１４により締め付け固定され、外郭ケース４の中に配設された誘導加熱装置５ａ、５ｂ、５ｃは支持板６に配設された圧縮自在の複数の支持バネ７で天面プレート２の下面に圧接保持され一定の距離を確保するよう構成されることにより、フルフラットな調理スペースを確保でき、便利で使い勝手のよい組込み型誘導加熱調理器を提供することができる。【選択図】図１
2010210163.tif 000002
【特許請求の範囲】
【請求項１】
キッチンカウンターの天面に載置され支持された結晶化ガラス製の天面プレートと、前記天面プレートの下方に設けられ外郭ケース内に１以上の誘導加熱装置を配設した本体ユニットとを備え、前記外郭ケースは、その上方に配設されたフランジ部を前記キッチンのサンギ部にビス締め固定して、前記誘導加熱装置と前記天面プレート上面とのギャップが一定になるようにした組込み型誘導加熱調理器。
【請求項２】
本体ユニットは、一つの外郭ケースの中に誘導加熱装置を一つのみ具備し、前記本体ユニットを複数個組み合わせて天面プレート下方に配設するとともに接続ボックスを設け、前記接続ボックス内で複数の前記誘導加熱装置に電源供給するための配線接続をしてなる請求項１に記載の組込み型誘導加熱調理器。
【請求項３】
誘導加熱装置に電源を供給するための主電源スイッチと、前記誘導加熱装置を動作させるための加熱スイッチと、前記誘導加熱装置の配置がわかるように前記誘導加熱装置の外周に沿って光るリング状発光体とを備え、天面プレートは前記誘導加熱装置の位置が表示されず、前記鍋を前記誘導加熱装置に置かずに前記主電源スイッチをＯＮにすると、前記リング状発光体が点滅発光し天面プレート上方から透けて見え、前記リング状発光体が点滅発光中に前記リング状発光体の内側に前記鍋を置き前記加熱スイッチをＯＮにすると前記リング状発光体が点灯発光して前記誘導加熱装置が前記鍋を加熱するよう構成された請求項１に記載の組込み型誘導加熱調理器。
【請求項４】
キッチンカウンターは天面プレートを支える天面ベースを備え、前記天面ベースは本体ユニットの上方開口に対向するベース開口穴を有し、前記天面プレートと前記天面ベースとの当接面は接着剤で固着されてなる請求項１または２に記載の組込み型誘導加熱調理器。
【請求項５】
天面ベースの前垂れ部の前側面の上部には、前記天面プレートの前端面が嵌合したガード凸体が係止される係り止め部を配設してなる請求項１に記載の組込み型誘導加熱調理器。
【請求項６】
天面プレートの露出した端面全てにガード凸体を配設してなる請求項５に記載の組込み型誘導加熱調理器。
【請求項７】
外郭ケースの前側面に吸気口、後側面に排気口を配設し、キッチンの前側面に吸気開口穴、後側面に排気開口穴を配設して、前記吸気口と前記吸気開口穴、前記排気口と前記排気開口穴の通気流路をそれぞれ連結するとともに、前記排気口穴からの排気熱が前記吸気口側にリークしないように仕切り板を配設し、前記排気熱が前記キッチン内にリークしないように排気ダクトを配設してなる構成の請求項１に記載の組込み型誘導加熱調理器。
【請求項８】
誘導加熱装置の中心から天面プレートの前垂れ部側面までの距離を略３５０〜４５０ｍｍ確保した請求項１に記載の組込み型誘導加熱調理器。
【請求項９】
上方から見てすべての加熱装置を内側に含む加熱ゾーンと上方から見ていずれの加熱装置をも内側に含まない非加熱ゾーンを判別可能な印刷を天面プレート表面に印刷した請求項１に記載の組込み型誘導加熱調理器。
【請求項１０】
上方から見て、斜めに一列に３つの誘導加熱装置を配置することで、隣り合う互いの誘導加熱装置の中心から中心までの真横方向のピッチを略３００〜４００ｍｍになるよう構成した請求項１に記載の組込み型誘導加熱調理器。
【請求項１１】
少なくとも１つの誘導加熱装置の加熱コイルの径が略２５０〜３５０ｍｍとなるよう構成
した請求項１０に記載の組込み型誘導加熱調理器。
【発明の詳細な説明】
【技術分野】
【０００１】
本発明は、主に家庭用のキッチンに組み込まれる組込み型誘導加熱調理器に関し、特に開口穴や段差のないフラットな調理天面構成を有するものに関する。
【背景技術】
【０００２】
従来、この種の家庭用のキッチンに組み込まれる組込み型誘導加熱調理器は、加熱調理面を構成するガラスプレートの端面を金属フレームで覆い、そのガラスプレートがキッチン天面の上に載置されるようにキッチン（システムキッチン、または、流し台ともいう。以下同じ）の開口穴に本体が落とし込まれて設置されたものが一般的である（例えば、特許文献１参照）。
【０００３】
まず図１５は従来の組込み型の誘導加熱調理器の一例を示すものである。図１５に示すように本体ユニット１２０は外郭ケース１２１の中に３口の誘導加熱装置１２２と冷却装置１２３と制御装置１２４を配設している。外郭ケース１２１の底面上に配設された制御装置１２４を収容する基板ケース１２４ａの上面を覆う基板ケースカバー１２４ｂが設けられている。誘導加熱装置１２２を載置して保持する誘導加熱装置保持部材１２２ｂ及び基板ケースカバー１２４ｂ上に設けられて誘導加熱装置保持部材１２２ｂを上方に付勢する支持バネ１２２ｃにより、誘導加熱装置１２２とトッププレート１２７との間に一定の距離が確保されるような構成になっている。トップユニット１２５はトップフレーム１２６と、その下方に配設されたトッププレート１２７と、さらにその下方に配設されたアンダーフレーム１２８を備えている。トップフレーム１２６とトッププレート１２７とアンダーフレーム１２８を互いに接着、またはかしめることによって一体となるように固定されている。ここで本体ユニット１２０の上方開口部を覆うようにトップユニット１２５を外郭ケース１２１に載置されている。アンダーフレーム１２８に溶接された取付金具１３０は、外郭ケース１２１とビス締め固定される。キッチン天面１３１に配設されたキッチン穴開口１３２に本体ユニット１２０が落とし込まれて収まり、キッチン天面１３１の上にアンダーフレーム１２８が載置されるようにキッチン（図示せず）に組み込まれる。このときトッププレート１２７下方に配設された誘導加熱装置１２２は、上方から見て前方に２つ、後方に１つ設けられ中心を結ぶと三角状になるように配設されている。キッチン天面１３１の前面に冷却装置１２３で外気を取り込む吸気口（図示せず）を配設し、またトップユニット１２５の天面後方背面に内部冷却後の熱気を外に排出するための排気口１２９を配設している。本体ユニット１２０の前面側に配設された操作部ユニット１３３のスイッチが操作されると、制御装置１２４により加熱調理がされる。
【特許文献１】特開２００６−２００８３７号公報
【発明の開示】
【発明が解決しようとする課題】
【０００４】
図１５に代表されるキッチンに搭載された従来の組込み型の誘導加熱調理器は、キッチン天面１３１にアンダーフレーム１２８が載置されているため、トップユニット１２５を構成するトップフレーム１２６とアンダーフレーム１２８とを重ねた厚み分だけ、トップユニット１２５の全周でキッチン天面１３１との段差を生じ、調理時や、清掃時にお手入れ性や使い勝手が悪いという課題を有していた。
【０００５】
また、トップユニット１２５の天面後方に吸気口及び排気口１２９を配設しているため、開口部へ水や埃や調理物が浸入する恐れがあり、凸凹形状により清掃性、デザイン性が悪いという課題を有していた。
【０００６】
また、トッププレート１２７下方に配設された誘導加熱装置１２２は、上方から見て二列に、中心を結ぶと三角状になるように配設され、トップユニット１２５の天面後方に吸気口及び排気口１２９を配設しているため、トップユニット１２５の奥行寸法が大きくなり、定められたキッチンモジュールに対して加熱に使用しない領域である非調理スペースが後方で左右に分散され前方で狭くなり、調理前の下ごしらえスペースが近くにないとか、調理物を入れる皿を近くに置くことができないなど、料理全般を考えたキッチンスペースとして、不便で使い勝手が悪いという課題を有していた。
【０００７】
本発明は、前記従来の課題を解決するもので、キッチン天面において段差がなく開口部もないフルフラット構成とし、調理中または調理後一家団欒で食卓として兼用することも可能な使い勝手がよく、デザイン性に優れた組込み型の誘導加熱調理器を提供することを目的とする。
【課題を解決するための手段】
【０００８】
前記従来の課題を解決するために、本発明の組込み型誘導加熱調理器は、キッチンカウンターの天面に載置され支持された結晶化ガラス製の天面プレートと、前記天面プレートの下方に設けられ外郭ケース内に１以上の誘導加熱装置を配設した本体ユニットとを備え、前記外郭ケースは、その上方に配設されたフランジ部を前記キッチンのサンギ部にビス締め固定して、前記誘導加熱装置と前記天面プレート上面とのギャップが一定になるようにすることで天面プレートの上面に開口部がなく、かつ段差のないすっきりしたフルフラットなデザイン性、清掃性に優れたものとすることができる。さらにフルフラットな調理スペースを確保し、天面プレートを食卓とすれば格段に広くして使うことができ、一家団欒のスペースとして、便利で使い勝手のよい組込み型誘導加熱調理器とするものである。
【発明の効果】
【０００９】
本発明の組込み型誘導加熱調理器は、上面に開口部がなく、段差のないすっきりしたフルフラットなデザイン性、清掃性に優れた組込み型誘導加熱調理器とするものである。さらに、フルフラットな調理スペースを確保し、キッチン天面を食卓としても格段に広く使うこともでき、一家団欒のスペースとして、便利で使い勝手のよい組込み型誘導加熱調理器とすることもできるようにするものである。
【発明を実施するための最良の形態】
【００１０】
第１の発明は、キッチンカウンターの天面に載置され支持された結晶化ガラス製の天面プレートと、前記天面プレートの下方に設けられ外郭ケース内に１以上の誘導加熱装置を配設した本体ユニットとを備え、前記外郭ケースは、その上方に配設されたフランジ部を前記キッチンのサンギ部にビス締め固定して、前記誘導加熱装置と前記天面プレート上面とのギャップが一定になるようにすることにより、キッチンカウンターの天面に段差がないフルフラットな調理スペースを確保でき、調理前の下ごしらえから調理後の皿への盛り付けまで、移動することなく便利で使い勝手の良い調理スペースを提供するとともに、食卓テーブルとして一家団欒で調理や食事を楽しむこともできるようにすることができる。
【００１１】
第２の発明は、特に、第１の発明の本体ユニットは、一つの外郭ケースの中に誘導加熱装置を一つのみ具備し、前記本体ユニットを複数個組み合わせて天面プレート下方に配設するとともに接続ボックスを設け、前記接続ボックス内で前記複数の誘導加熱装置に電源供給するための配線接続をすることにより、それぞれの本体ユニットを構成する誘導加熱装置を加熱することができ、天面の任意の位置に誘導加熱装置を配設する自由度がより広がり、それぞれを構成する部品の共用化、標準化を図りやすく、商品の低価格化やサービス性を向上することができ、便利で使い勝手の良い組込み型誘導加熱調理器を提供することができる。
【００１２】
第３の発明は、特に、第１の発明の誘導加熱装置に電源を供給するための主電源スイッチと、前記誘導加熱装置を動作させるための加熱スイッチと、前記誘導加熱装置の配置がわかるように前記誘導加熱装置の外周に沿って光るリング状発光体とを備え、天面プレートは前記誘導加熱装置の位置が表示されず、前記鍋を前記誘導加熱装置に置かずに前記主電源スイッチをＯＮにすると、前記リング状発光体が点滅発光し天面プレート上方から透けて見え、前記リング状発光体が点滅発光中に前記リング状発光体の内側に前記鍋を置き前記加熱スイッチをＯＮにすると前記リング状発光体が点灯発光して前記誘導加熱装置が前記鍋を加熱するよう構成されることにより、誘導加熱装置の位置を任意に配置することができる。
【００１３】
第４の発明は、特に、第１の発明のキッチンカウンターは天面プレートを支える天面ベースを備え、前記天面ベースは本体ユニットの上方開口に対向するベース開口穴を有し、前記天面プレートと前記天面ベースとの当接面は接着剤で固着されることにより、結晶化ガラス製の天面プレートを強固に支持固定することができ、誘導加熱装置と天面プレート上面とのギャップが一定になるよう構成し、設計の意図する加熱出力を発生させることができる。
【００１４】
第５の発明は、特に、第１の発明の天面ベースの前垂れ部の前側面の上部には、前記天面プレートの前端面が嵌合したガード凸体が係止される係り止め部を配設することにより、天面プレート上での調理中の吹き零れなどをガードし、床面やキッチンを濡らしたり汚したりすることがなく、使い勝手がよく、清掃しやすい組込み型誘導加熱調理器を提供することができる。
【００１５】
第６の発明は、特に、第５の発明の天面プレートの露出した端面全てにガード凸体を配設することにより、結晶化ガラス製の天面プレートの端面で怪我をしたり、ものを当てて割れや欠けを生じさせることがなく、快適で使い勝手と手離れの良い組込み型誘導加熱調理器を提供することができる。
【００１６】
第７の発明は、特に、第１の発明の外郭ケースの前側面に吸気口、後側面に排気口を配設し、キッチンの前側面に吸気開口穴、後側面に排気開口穴を配設して、前記吸気口と前記吸気開口穴、前記排気口と前記排気開口穴の通気流路をそれぞれ連結するとともに、前記排気口穴からの排気熱が前記吸気口側にリークしないように仕切り板を配設し、前記排気熱が前記キッチン内にリークしないように排気ダクトを配設することにより、天面プレート上に開口穴を配設することなく冷却性能を満足させることができ、またキッチン庫内の著しい温度上昇を発生させることなく、快適で使い勝手の良い組込み型誘導加熱調理器を提供することができる。
【００１７】
第８の発明は、特に、第１の発明の誘導加熱装置の中心から天面プレートの前垂れ部側面までの距離を略３５０〜４５０ｍｍ確保することにより、調理前の下ごしらえから調理後の皿への盛り付けまで、移動することなく便利で使い勝手の良い調理スペースを確保できる。
【００１８】
第９の発明は、特に、第１の発明において、上方から見てすべての加熱装置を内側に含む加熱ゾーンと上方から見ていずれの加熱装置をも内側に含まない非加熱ゾーンを判別可能な印刷を天面プレート表面に印刷することにより、使用者に調理範囲と下ごしらえや盛り付けといった調理準備範囲を明確に意識させ判別させることができ、便利で使い勝手の良い組込み型誘導加熱調理器を提供することができる。
【００１９】
第１０の発明は、特に、第１の発明の隣り合う互いの誘導加熱装置の中心から中心までのピッチを略３００〜４００ｍｍになるよう構成することにより、隣り合う鍋同士が緩衝
することなく最適な加熱位置に配置できる鍋類の最大径を３００〜４００ｍｍに広げることができ、便利で快適な調理シーンを提供することができる。
【００２０】
第１１の発明は、特に、第１０の発明の少なくとも１つの誘導加熱装置の加熱コイルの径が略２５０〜３５０ｍｍとなるよう構成することにより、最大径３００〜４００ｍｍの鍋類に対して、有効かつ均一な加熱ができ、より調理メニューと食材の量に適した加熱調理を実現することができる。
【００２１】
（実施の形態１）
図１は、本発明の第１の実施の形態における誘導加熱調理器のキッチン組込み時の要部断面図、図２は本発明の第１の実施の形態における誘導加熱調理器のキッチン組込み時の斜視図を示すものである。
【００２２】
図１、図２において、キッチンカウンター（「システムキッチンカウンター」とも言う）１の天面を構成する天面プレート２は、結晶化ガラス製で本体ユニット３の天面を兼用する。すなわち、天面プレート２の下方に本体ユニット３が構成されている。ここで本体ユニット３は外郭ケース４内に３つの誘導加熱装置５ａ、５ｂ、５ｃと冷却装置８と制御装置９と操作ユニット１０を内蔵する。外郭ケース４の上方端部において、折り返されさらに外側に水平方向に張り出すように折り曲げられて形成されたフランジ部１２が配設されている。フランジ部１２はキッチンカウンター１内部の反り防止用の補強部材であるサンギ（桟木）１３を挟んでキッチンカウンター１に、ビス１４により締め付けられ固定されている。ビス１４を、サンギ１３を挟んでキッチンカウンター１に締めこむことにより、本体ユニット３のキッチンカウンター１への固定強度をサンギ１３がない場合に比べ高めることができる。ここで、外郭ケース４の中で手前からみて斜めに一列に配設された３つの誘導加熱用コイルである誘導加熱装置５ａ、５ｂ、５ｃを載置して保持する誘導加熱装置保持部材（図示せず）は、図１２の従来構成と同様に、外郭ケース４に水平に固定された支持板６上に配設された圧縮自在の複数の支持バネ７で天面プレート２の下面に圧接保持され、誘導加熱装置５ａ、５ｂ、５ｃと天面プレート２の間に一定の距離を確保するよう構成している。なお、制御装置９は電源コード１５によって電源供給され、制御動作を行う。また、制御装置９に操作指示するための操作ユニット１０は、通信線１１で制御装置９と結線されている。
【００２３】
以上のように構成された誘導加熱調理器について、以下その動作、作用を説明する。
【００２４】
誘導加熱装置５ａ、５ｂ、５ｃは、天面プレート２上に載置された鍋を高周波磁界を発生して誘導加熱する。キッチンカウンター１の天面カウンターを構成する天面プレート２は、結晶化ガラス製で本体ユニット３の天面を兼用する。天面プレート２の下方に本体ユニット３が構成され、３つの誘導加熱装置５ａ、５ｂ、５ｃは、それらを載置して保持する誘導加熱装置保持部材が、支持板６上に配設された圧縮自在の複数の支持バネ７で天面プレート２の下面に圧接保持される。したがって、誘導加熱装置５ａ、５ｂ、５ｃは、天面プレート上面との間で一定のギャップ（距離）を確保することができる。誘導加熱装置５ａ、５ｂ、５ｃを動作させるための操作は、操作ユニット１０の上方の天面プレートに触れることにより行う。外郭ケース４は、その上方端部に形成されたフランジ部１２をキッチンカウンター１のサンギ１３にビス締め固定する。この構成により、天面カウンター上面が段差のないフルフラット構成にでき、調理前の下ごしらえから調理後の皿への盛り付けまで、移動することなく便利で使い勝手の良い、広い調理スペースを提供するとともに、食卓テーブルとして一家団欒で調理や食事を楽しむこともできる。
【００２５】
なお、本体ユニット３を構成する誘導加熱装置５ａ、５ｂ、５ｃは、３口としているが設計可能な口数の誘導加熱装置を配設することができるのは言うまでもない。また、３つ
の誘導加熱装置５ａ、５ｂ、５ｃは、手前からみて斜めに一列に配設されたが、これに限らず、真横に一列に配列するなど、任意に配列することができる。
【００２６】
（実施の形態２）
図３は、本発明の第２の実施の形態における誘導加熱調理器のキッチン組込み時の要部断面図、図４は本発明の第２の実施の形態における誘導加熱調理器のキッチン組込み時の斜視図を示すものである。なお、本実施の形態の構成における実施の形態１と同様な部分の説明は省略し、本実施の形態の実施の形態１との相違点を中心に説明する。また、実施の形態１と同じ機能有する部分には同じ符号を付してその説明を省略する。
【００２７】
図３、図４において、本実施の形態における誘導加熱調理器は、実施の形態１の本体ユニットがひとつであるのに対し、本体ユニット甲２０、本体ユニット乙２１及び本体ユニット丙２２の３つの本体ユニットで構成され、それぞれの外郭ケースが誘導加熱装置と冷却装置と制御装置を１つずつ内蔵している。また、本体ユニット乙２１の下方に配設された接続ボックスである電源ボックス２３内において、電源を供給するための電源コード２７に本体ユニット甲２０から配線された接続コード甲２４、本体ユニット乙２１から配線された接続コード乙２５及び本体ユニット丙２２から配線された接続コード丙２６を結線し、本体ユニット甲２０、本体ユニット乙２１及び本体ユニット丙２２に電源を供給し、それぞれの操作ユニット２８ａ、２８ｂ、２８ｃで操作を行うよう構成している点である。
【００２８】
以上のように構成された組込み型の誘導加熱調理器について、以下その動作、作用を説明する。
【００２９】
一つの外郭ケースの中に誘導加熱装置と冷却装置と制御装置をそれぞれ一つずつ具備した本体ユニット甲２０、本体ユニット乙２１及び本体ユニット丙２２の３口で構成され、天面プレート２の下方に配設され接続ボックス内に電源供給のための配線接続をする構成としたことにより、天面に誘導加熱装置を配設するときの位置決定の自由度がより広がり、本体ユニット甲２０、本体ユニット乙２１、本体ユニット丙２２それぞれを構成する部品の共用化、標準化を図りやすく、商品の低価格化やサービス性を向上することができ、便利で使い勝手の良い組込み型誘導加熱調理器を提供することができる。
【００３０】
なお、本体ユニット甲２０、本体ユニット乙２１、本体ユニット丙２２のそれぞれを構成する誘導加熱装置と冷却装置と制御装置は同一仕様であっても、異なった仕様であってもよく、同一使用であれば標準化の効果がより多く得られることはいうまでもない。
【００３１】
（実施の形態３）
図５は、本発明の第３の実施の形態における誘導加熱調理器のキッチン組込み時の斜視図である。なお、本実施の形態３の基本構成は実施の形態１と同様な部分の説明は省略し、本実施の形態の実施の形態１との相違点を中心に説明する。また実施の形態１と同じ機能には同じ符号を付してその説明を省略する。
【００３２】
図５において本実施の形態の特徴は、３口の誘導加熱装置３０ａ、３０ｂ、３０ｃの上方外周円に沿ってそれぞれ光るリング状発光体３１ａ、３１ｂ、３１ｃを配設している。一方、天面プレート２の表面には、印刷などで誘導加熱装置の配置された位置を視覚的に認知させることをしていない。そして、図示していない鍋を誘導加熱装置３０ａ、３０ｂ、３０ｃの上に置かずに、主電源スイッチ３２をＯＮにすると、リング状発光体３１ａ、３１ｂ、３１ｃの内部に光を照射するＬＥＤが点滅発光するので、リング状発光体３１ａ、３１ｂ、３１ｃもそれに合わせて点滅する。リング状発光体３１ａ、３１ｂ、３１ｃが点滅発光中に、それぞれの操作ユニット２８ａ、２８ｂ、２８ｃを操作して加熱キー（図
示せず）をＯＮにするとリング状発光体３１ａ、３１ｂ、３１ｃのＬＥＤ（図示せず）が点灯発光するよう構成している点である。
【００３３】
以上のように構成された誘導加熱調理器について、以下その動作、作用を説明する。
【００３４】
天面プレート２の表面に印刷などで表示していないので、天面プレート２の下方に３口の誘導加熱装置３０ａ、３０ｂ、３０ｃを自由に配設できる。主電源スイッチ３２をＯＦＦの場合には、天面プレート２の表面に印刷などで誘導加熱装置の配置された位置を視覚的に認知させることができない。主電源スイッチ３２をＯＮにすると、リング状発光体３１ａ、３１ｂ、３１ｃに光を入射して光らせるための光源であるＬＥＤが点滅発光する。したがって、どのバーナーでも鍋類を加熱調理するための最適な位置が明示され、便利で使い勝手の良い誘導加熱調理器を供給できる。
【００３５】
（実施の形態４）
図６は、本発明の第４の実施の形態における誘導加熱調理器のキッチン組込み時の要部断面図、図７は本発明の第４の実施の形態における誘導加熱調理器のキッチン組込み時の斜視図である。なお、本実施の形態における実施の形態１と同様な部分の説明は省略し、実施の形態１との相違点を中心に説明する。また実施の形態１と同じ機能には同じ符号を付してその説明を省略する。
【００３６】
図６、図７において、本実施の形態の特徴は、キッチンカウンター１は、天面を構成する天面プレート２を支える天面ベース４０を備え、天面ベース４０に開けられた３つの開口穴甲４１及び３つの開口穴乙４２を配設している。また３つの本体ユニット、本体ユニット甲２０、本体ユニット乙２１及び本体ユニット丙２２を、それぞれの誘導加熱装置が３つの開口穴甲４１の内側で天面プレート２に対向するように合わせて配設し、操作ユニット２８ａ、２８ｂ、２８ｃをそれぞれ３つの開口穴乙４２に合わせて配設し、天面ベース４０と天面プレート２の当接面は接着剤４３で固着して構成している点である。
【００３７】
以上のように構成された誘導加熱調理器について、以下その動作、作用を説明する。
【００３８】
天面ベース４０は本体ユニット甲２０、本体ユニット乙２１及び本体ユニット丙２２の上方開口に対向するベース開口穴４１を有し、天面プレート２と天面ベース４０との当接面は接着剤で固着されてなるので、結晶化ガラス製の天面プレート２を天面ベース４０に強固に支持固定し、かつ天面ベース４０の強度を高めることができ、誘導加熱装置と天面プレート２上面とのギャップが一定になるよう構成し、設計の意図する加熱出力を発生させることができる。また、キッチンのカウンター１の天面を構成する天面ベース４０の開口穴甲４１の配列を変えることにより、誘導加熱装置（図示せず）の配列を任意に変更することができる。
【００３９】
（実施の形態５）
図８は本発明の第５の実施の形態における誘導加熱調理器のキッチン組込み時の要部断面図である。なお、本実施の形態において、実施の形態１と同様な部分の説明は省略し、実施の形態１との相違点を中心に説明する。また実施の形態１と同じ機能には同じ符号を付してその説明を省略する。
【００４０】
図８において、本実施の形態の特徴は、実施の形態１の天面ベース４０の上部の前側面に段部で形成した係り止め部５１を配設し、結晶化ガラス製の天面プレート２の前端面を覆うようにゴムまたは樹脂製のガード凸体５０を嵌合させる構成としている点である。
【００４１】
以上のように構成された誘導加熱調理器について、以下その動作、作用を説明する。
【００４２】
天面プレート２の前端面を覆うガード凸体５０を配設することにより、天面プレート２の上面よりも上に突出した面を天面プレート２の周部に構成でき、天面プレート２上での調理中の吹き零れなどが、天面プレート２周辺から流れ出すのをガードし、床面やキッチンを濡らしたり汚したりすることがなく、使い勝手がよく、清掃しやすい誘導加熱調理器を提供することができるよう作用する。また、ガード凸体５０の下部が、段部で形成した係り止め部５１に嵌まり込んで係止されるので天面プレート２を天面ベース４０に載置したときの位置きめが容易となるとともに美観的に優れたものとなる。
【００４３】
（実施の形態６）
図９は、本発明の第６の実施の形態における誘導加熱調理器のキッチン組込み時の斜視図である。なお、本実施の形態において実施の形態５と同様な部分の説明は省略し、実施の形態５との相違点を中心に説明する。また実施の形態５と同じ機能には同じ符号を付してその説明を省略する。
【００４４】
実施の形態５のガード凸体５０が天面プレート２の前端面を覆うものであったのに対し、図９において示すように、本実施の形態の特徴は、ガード凸体６０が、天面プレート２の端面が露出する辺を全て覆うように嵌合するよう構成している点である。
【００４５】
以上のように構成された誘導加熱調理器について、以下その動作、作用を説明する。
【００４６】
天面プレート２の露出した端面全てにガード凸体６０を配設することにより、結晶化ガラス製の天面プレート２の端面で怪我をしたり、ものを当てて割れや欠けを生じたりさせることがなく、快適で使い勝手と手離れの良い誘導加熱調理器を提供することができる。
【００４７】
（実施の形態７）
図１０は、本発明の第７の実施の形態における誘導加熱調理器のキッチン組込み時の要部断面図である。なお、本実施の形態において実施の形態１と同様な部分の説明は省略し、実施の形態１との相違点を中心に説明する。また実施の形態１と同じ機能には同じ符号を付してその説明を省略する。
【００４８】
図１０において、本実施の形態の特徴は、実施の形態１の本体ユニット３の外郭ケース４の前側面に吸気口７０を配設し、外郭ケース４の後側面に排気口７１を配設し、さらにキッチンカウンター１の前側面に吸気開口穴７２を配設し、同じくキッチンカウンター１の後側面に排気開口穴７３を配設して、吸気口７０と吸気開口穴７２を結ぶ冷却流路が形成され、仕切り板甲７４と仕切り板乙７５でキッチンカウンター１内の空間を仕切り、排気口７１からの排気熱が吸気側にリークしないように構成し、排気口７１と排気開口穴７３を連結する流路には排気ダクト７６を設けている。このとき、排気ダクト７６の端部に設けられたフランジ７６ａが外郭ケース４の排気口７１を覆うように取り付けられ、排気ダクト７６の先端７６ｂは排気開口穴７３に挿入されるように配設されている。排気熱が、仕切り板甲７４と仕切り板乙７５でキッチンカウンター１の内部にリークするのを抑制し、キッチンカウンター１外に排出されるよう構成している点である。
【００４９】
以上のように構成された誘導加熱調理器について、以下その動作、作用を説明する。
【００５０】
上記のように、誘導加熱調理器内部で発生した熱又は加熱された鍋底から誘導加熱調理器内部に伝わった熱が冷却されて温度上昇した排気熱がキッチンカウンター１の内部にリークするのを抑制し、キッチンカウンター１外に排出されるので、本体ユニット３の内部部品の温度上昇を抑制するための、最適な冷却ができかつ、キッチンカウンター１内部の温度上昇も軽減できキッチンカウンター１内部下方にスパイスボックスなどの温度影響を
受ける物品収納空間を配設することができ、快適で使い勝手の良い誘導加熱調理器を提供することができる。
【００５１】
（実施の形態８）
図１１は、本発明の第８の実施の形態における誘導加熱調理器のキッチン組込み時の斜視図である。なお、本実施の形態において実施の形態１と同様な部分の説明は省略し、実施の形態１との相違点を中心に説明する。また実施の形態１と同じ機能には同じ符号を付してその説明を省略する。
【００５２】
図１１において、本実施の形態の特徴は、実施の形態１の３つの誘導加熱装置８０ａ、８０ｂ、８０ｃを天面プレート２の下方に自由に配設するなかで、最も手前に位置する誘導加熱装置８０ａの加熱中心から天面プレート２の前端面までの距離を３５０〜４５０ｍｍとしている点である。
【００５３】
以上のように構成された誘導加熱調理器について、以下その動作、作用を説明する。
【００５４】
最も手前に位置する誘導加熱装置８０ａの加熱中心から天面プレート２の前端面までの距離を３５０〜４５０ｍｍとすることで、鍋類を置いたときの天面プレート２の手前スペースが格段に広がり、調理前の下ごしらえや調理後の皿への盛り付けなどの作業をするスペースが確保でき、快適で使い勝手の良い誘導加熱調理器を提供することができる。
【００５５】
（実施の形態９）
図１２は、本発明の第９の実施の形態における誘導加熱調理器のキッチン組込み時の斜視図である。なお、本実施の形態９において実施の形態１と同様な部分の説明は省略し、実施の形態１との相違点を中心に説明する。また実施の形態１と同じ機能には同じ符号を付してその説明を省略する。
【００５６】
図１２において、本実施の形態の特徴は、実施の形態１の天面プレート２の表面に鍋類を調理するための領域である、上方から見てすべての加熱装置を内側に含む加熱ゾーン９０と非加熱物を置いたり、下ごしらえ作業をしたりするための領域である、上方から見ていずれの加熱装置をも内側に含まない非加熱ゾーン９１を判別できるよう異なる印刷を天面プレート２表面に施している点である。
【００５７】
以上のように構成された誘導加熱調理器について、以下その動作、作用を説明する。
【００５８】
加熱ゾーン９０と非加熱ゾーン９１の範囲を判別できるよう、異なる印刷を施しているので、使用者に調理範囲と調理準備範囲を明確に意識させ判別させることができ、便利で使い勝手の良い組込み型誘導加熱調理器を提供することができる。
【００５９】
（実施の形態１０）
図１３は、本発明の第１０の実施の形態における誘導加熱調理器のキッチン組込み時の斜視図である。なお、本実施の形態１０において実施の形態１と同様な部分の説明は省略し、実施の形態１との相違点を中心に説明する。また実施の形態１と同じ機能には同じ符号を付してその説明を省略する。
【００６０】
図１３において、本実施の形態の特徴は、実施の形態１の３つの誘導加熱装置１００ａ、１００ｂ、１００ｃを天面プレート２の上方から見て斜めに一列になるように、誘導加熱装置１００ａと誘導加熱装置１００ｂ、誘導加熱装置１００ｂと誘導加熱装置１００ｃの互いの加熱中心間の距離を３００〜４００ｍｍとしている点である。
【００６１】
以上のように構成された誘導加熱調理器について、以下その動作、作用を説明する。
【００６２】
誘導加熱装置１００ａと誘導加熱装置１００ｂ、誘導加熱装置１００ｂと誘導加熱装置１００ｃの互いの加熱中心間の距離を３００〜４００ｍｍとすることで、隣り合う鍋同士が緩衝することなく最適な加熱位置に配置できる鍋類の最大径を３００〜４００ｍｍに広げることができ、便利で快適な調理シーンを提供することができる。なお、奥側の誘導加熱装置１００ｃを隣り合うシンク付流し台側にすると、誘導加熱装置１００ｃ手前のスペースを加熱以外の用途に使用できるとともに、誘導加熱装置１００ｃを使用中にシンク付流し台側から誘導加熱装置１００ａの位置に移動しやすい。すなわち、誘導加熱装置１００ｃ上に載置された鍋が移動する際の障害物となりにくい。
【００６３】
（実施の形態１１）
図１４は、本発明の第１１の実施の形態における誘導加熱調理器のキッチン組込み時の斜視図である。なお、本実施の形態１１において実施の形態１０と同様な部分の説明は省略し、実施の形態１０との相違点を中心に説明する。
【００６４】
また実施の形態１０と同じ機能には同じ符号を付してその説明を省略する。
【００６５】
図１４において、本実施の形態の特徴は、実施の形態１０の３つの誘導加熱装置１１０ａ、１１０ｂ、１１０ｃを天面プレート２の下方に自由に配設するなかで、誘導加熱装置１１０ａと誘導加熱装置１１０ｃの加熱コイルの径をΦ２５０〜３５０ｍｍとしている点である。
【００６６】
以上のように構成された誘導加熱調理器について、以下その動作、作用を説明する。
【００６７】
誘導加熱装置１１０ａと誘導加熱装置１１０ｃの加熱コイルの径をΦ２５０〜３５０ｍｍとすることで、最大径３００〜４００ｍｍの鍋類に対して、有効かつ均一な加熱ができ、より調理メニューと食材の量に適した加熱調理を実現することができる。
【産業上の利用可能性】
【００６８】
以上のように、本発明にかかる組込み型加熱調理器は、一般家庭のキッチンにおいて、フルフラットのカウンター天面をトッププレートと兼用して組み込まれる誘導加熱調理器に適用できる。
【図面の簡単な説明】
【００６９】
【図１】本発明の第１の実施の形態における誘導加熱調理器のキッチン組込み時の要部断面図
【図２】本発明の第１の実施の形態における誘導加熱調理器のキッチン組込み時の斜視図
【図３】本発明の第２の実施の形態における誘導加熱調理器のキッチン組込み時の要部断面図
【図４】本発明の第２の実施の形態における誘導加熱調理器のキッチン組込み時の斜視図
【図５】本発明の第３の実施の形態における誘導加熱調理器のキッチン組込み時の斜視図
【図６】本発明の第４の実施の形態における誘導加熱調理器のキッチン組込み時の要部断面図
【図７】本発明の第４の実施の形態における誘導加熱調理器のキッチン組込み時の斜視図
【図８】本発明の第５の実施の形態における誘導加熱調理器のキッチン組込み時の要部断面図
【図９】本発明の第６の実施の形態における誘導加熱調理器のキッチン組込み時の斜視図
【図１０】本発明の第７の実施の形態における誘導加熱調理器のキッチン組込み時の要部断面図
【図１１】本発明の第８の実施の形態における誘導加熱調理器のキッチン組込み時の斜視図
【図１２】本発明の第９の実施の形態における誘導加熱調理器のキッチン組込み時の斜視図
【図１３】本発明の第１０の実施の形態における誘導加熱調理器のキッチン組込み時の斜視図
【図１４】本発明の第１１の実施の形態における誘導加熱調理器のキッチン組込み時の斜視図
【図１５】従来の組込み型加熱調理器の要部断面図
【符号の説明】
【００７０】
１  キッチンカウンター
２  天面プレート
３  本体ユニット
４  外郭ケース
５ａ、５ｂ、５ｃ、３０ａ、３０ｂ、３０ｃ、８０ａ、８０ｂ、８０ｃ、１００ａ、１００ｂ、１００ｃ、１１０ａ、１１０ｂ、１１０ｃ  誘導加熱装置
６  支持板
７  支持バネ
８  冷却装置
９  制御装置
１０  操作ユニット
１１  通信線
１２  フランジ部
１３  サンギ
１４  ビス
１５  電源コード
２０  本体ユニット甲
２１  本体ユニット乙
２２  本体ユニット丙
２３  電源ボックス
２４  接続コード甲
２５  接続コード乙
２６  接続コード丙
２７  電源コード
２８ａ、２８ｂ、２８ｃ  操作ユニット
３１ａ、３１ｂ、３１ｃ  リング発光体
３２  主電源スイッチ
４０  天面ベース
４１  開口穴甲
４２  開口穴乙
４３  接着剤
５０、６０  ガード凸体
５１  係り止め部
７０  吸気口
７１  排気口
７２  吸気開口穴
７３  排気開口穴
７４  仕切り板甲
７５  仕切り板乙
７６  排気ダクト
９０  加熱ゾーン
９１  非加熱ゾーン
【図１】
2010210163.tif 000003
【図２】
2010210163.tif 000004
【図３】
2010210163.tif 000005
【図４】
2010210163.tif 000006
【図５】
2010210163.tif 000007
【図６】
2010210163.tif 000008
【図７】
2010210163.tif 000009
【図８】
2010210163.tif 000010
【図９】
2010210163.tif 000011
【図１０】
2010210163.tif 000012
【図１１】
2010210163.tif 000013
【図１２】
2010210163.tif 000014
【図１３】
2010210163.tif 000015
【図１４】
2010210163.tif 000016
【図１５】
2010210163.tif 000017